(57)【要約】【課題】コスト及びスペースの増加を抑制しつつ、環境温度センサーが機内の熱源による影響を受けても環境温度に応じた正確な定着温度制御を行う。【解決手段】画像形成装置１は、画像形成部１２と、定着部１３と、環境温度センサー８０と、定着部温度センサー８１と、環境温度記憶部１０１と、環境レベル記憶部１０２と、定着温度制御部１０４とを備える。定着温度制御部１０４は、定着部温度センサー８１の検知温度が予め定められた温度よりも低い状況下において、環境温度センサー８０の検知温度が記憶されている温度から上昇した場合には、環境温度センサー８０により新たに検知された環境温度に対応する環境レベルを用い、それ以外の場合には、従前の環境レベルを用いて、環境レベルに対応付けられた定着温度及び駆動時間に基づいて、定着部１３の温度制御を行う。【選択図】図２
2016102927.tif 000002
【特許請求の範囲】
【請求項１】
給紙された用紙にトナー像を形成する画像形成動作を行う画像形成部と、
加熱ヒーターを有する加熱ローラーと、加圧ローラーとで用紙をニップしてトナー像を当該用紙に定着させる定着処理を施す定着部と、
環境温度を検知する第１の温度センサーと、
前記定着部の定着温度を検知する第２の温度センサーと、
環境温度を予め定められた複数の環境レベルに分別し、当該環境レベル毎に対応付けられた定着温度を記憶する環境レベル記憶部と、
前記第１の温度センサーによって検知された環境温度の属する前記環境レベルに対応付けて前記環境レベル記憶部に記憶されている定着温度を目標温度として、前記定着部の温度制御を行う定着温度制御部とを備え、
前記定着温度制御部は、
前記第１の温度センサーにより新たに検知された環境温度がそれまでの環境温度に対して同一又は低下している場合には、当該新たに検知された環境温度が属する前記環境レベルに対応付けて前記環境レベル記憶部に記憶されている定着温度を目標温度として前記定着部の温度制御を行い、
前記第１の温度センサーにより新たに検知された環境温度がそれまでの環境温度から上昇している場合には、この時点で前記第２の温度センサーにより検知された定着温度が予め定められた温度未満である場合に、当該新たに検知された環境温度が属する前記環境レベルに対応付けて前記環境レベル記憶部に記憶されている定着温度を目標温度として前記定着部の温度制御を行い、上記時点で前記第２の温度センサーにより検知された定着温度が予め定められた温度以上である場合には、それまでの環境温度が属する前記環境レベルに対応付けて前記環境レベル記憶部に記憶されている定着温度を目標温度とする前記定着部の温度制御を続ける画像形成装置。
【請求項２】
前記第１の温度センサーで検知された環境温度を記憶する環境温度記憶部を更に備え、
前記定着温度制御部は、
前記第１の温度センサーにより新たに検知された環境温度が前記第１の記憶部に記憶されているそれまでの環境温度に対して同一又は低下している場合には、前記環境温度記憶部に記憶されているそれまでの環境温度を当該新たに検知された環境温度に書き換え、
前記第１の温度センサーにより新たに検知された環境温度が前記環境温度記憶部に記憶されているそれまでの環境温度から上昇している場合には、この時点で前記第２の温度センサーにより検知された定着温度が予め定められた温度未満であれば、前記第１の記憶部に記憶されているそれまでの環境温度を当該新たに検知された環境温度に書き換え、当該時点で前記第２の温度センサーにより検知された定着温度が予め定められた温度以上であれば、前記第１の記憶部に記憶されているそれまでの環境温度を維持して当該新たに検知された環境温度への書き換えを行わない請求項１に記載の画像形成装置。
【請求項３】
前記定着温度制御部は、前記画像形成部による画像形成動作が行われていない期間に、前記環境レベル記憶部に記憶された環境レベルに対応付けられた予め定められた時間だけ前記定着部にエージング動作を行わせる請求項１又は請求項２に記載の画像形成装置。
【発明の詳細な説明】
【技術分野】
【０００１】
本発明は、画像形成装置に関し、特に、環境温度に応じた定着温度制御の技術に関する。
【背景技術】
【０００２】
コピー機、プリンター、ファクシミリ装置、及びそれら機能を兼ね備えた複合機等の画像形成装置において、用紙上に転写させたトナー像を用紙に定着させる際の定着温度は、印字品質を左右する重要なファクターである。しかし、画像形成装置が設置される環境は様々であり、同じ定着温度制御をしていても環境温度に応じて実際の定着温度が変わってしまうことがある。そこで、そのような問題に対処するために、下記特許文献１では、外部環境条件に応じて定着温度を制御して、環境条件の変化にかかわらず定着温度を安定に維持している。また、下記特許文献２では、環境温度検知手段が故障した場合には、定着温度を補正ありの場合の値と補正なしの場合の値の中間値に設定している。
【先行技術文献】
【特許文献】
【０００３】
【特許文献１】特開２０１４−９５８１８号公報
【特許文献２】特開平１０−１６１４６９号公報
【発明の概要】
【発明が解決しようとする課題】
【０００４】
上記特許文献１及び２では温度センサーで検知した環境温度に基づいて定着温度を制御している。しかし、定着部等の熱源から発生する熱を排出するためのファンの設置位置によっては、暖められた空気が環境温度を検知する温度センサーに回り込み、環境温度を正しく検知できなくなることがある。この場合、誤検知された環境温度に基づいて定着温度が制御され、印字品質が劣化するおそれがある。
【０００５】
上記のファンの気流の影響を受けないようにするには、精度のよい温度センサーを用いるか、ファンの気流が温度センサーに回り込まないような構造を設ける必要があるが、これらはコスト面及びスペース面で不利である。特に、小型の画像形成装置では、ファンの気流が温度センサーに回り込まないような構造を確保することは物理的に困難な場合がある。
【０００６】
本発明は、上記の問題を解決するためになされたもので、コスト及びスペースの増加を抑制しつつ、周囲の環境温度を検知する温度センサーが機内の熱源による影響を受けても、当該環境温度に応じた正確な定着温度制御を行うことを目的とする。
【課題を解決するための手段】
【０００７】
本発明の一局面に係る画像形成装置は、給紙された用紙にトナー像を形成する画像形成動作を行う画像形成部と、
加熱ヒーターを有する加熱ローラーと、加圧ローラーとで用紙をニップしてトナー像を当該用紙に定着させる定着処理を施す定着部と、
環境温度を検知する第１の温度センサーと、
前記定着部の定着温度を検知する第２の温度センサーと、
環境温度を予め定められた複数の環境レベルに分別し、当該環境レベル毎に対応付けられた定着温度を記憶する環境レベル記憶部と、
前記第１の温度センサーによって検知された環境温度の属する前記環境レベルに対応付けて前記環境レベル記憶部に記憶されている定着温度を目標温度として、前記定着部の温度制御を行う定着温度制御部とを備え、
前記定着温度制御部は、
前記第１の温度センサーにより新たに検知された環境温度がそれまでの環境温度に対して同一又は低下している場合には、当該新たに検知された環境温度が属する前記環境レベルに対応付けて前記環境レベル記憶部に記憶されている定着温度を目標温度として前記定着部の温度制御を行い、
前記第１の温度センサーにより新たに検知された環境温度がそれまでの環境温度から上昇している場合には、この時点で前記第２の温度センサーにより検知された定着温度が予め定められた温度未満である場合に、当該新たに検知された環境温度が属する前記環境レベルに対応付けて前記環境レベル記憶部に記憶されている定着温度を目標温度として前記定着部の温度制御を行い、上記時点で前記第２の温度センサーにより検知された定着温度が予め定められた温度以上である場合には、それまでの環境温度が属する前記環境レベルに対応付けて前記環境レベル記憶部に記憶されている定着温度を目標温度とする前記定着部の温度制御を続けるものである。
【発明の効果】
【０００８】
本発明によれば、環境温度を検知する温度センサーが機内の熱源による影響を受けても、当該影響に左右されることなく、環境温度に応じた正確な定着温度制御を行うことが可能となる。本発明は、高価な高精度の温度センサーを用いる必要がなく、また、ファンの気流が温度センサーに回り込まないような構造を確保する必要もないため、画像形成装置の高価格化及び大型化を招くことなく、熱源による影響に左右されることなく、環境温度に応じた正確な定着温度制御を行うことが可能である。
【図面の簡単な説明】
【０００９】
【図１】本発明の一実施形態に係る画像形成装置の構造を示す正面断面図である。
【図２】画像形成装置の主要内部構成を示す機能ブロック図である。
【図３】環境レベルと、これに対応付けられた定着温度及び駆動時間との対応関係例を示すテーブルである。
【図４】環境レベルの決定処理のフローチャートである。
【発明を実施するための形態】
【００１０】
以下、本発明の一実施形態に係る画像処理装置について図面を参照して説明する。図１は、本発明の一実施形態に係る画像形成装置の構造を示す正面断面図である。
【００１１】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１２】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１３】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１４】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１５】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を、熱圧着により記録紙Ｐに定着させる。より詳細には、定着部１３は、加熱ローラー１３１及び加圧ローラー１３２を有しており、これらローラーで記録紙Ｐをニップして、熱圧着によりトナー像を記録紙Ｐに定着させる。定着処理の完了したカラー画像形成済みの記録紙Ｐは、排出トレイ１５１に排出される。
【００１６】
定着部１３の加熱ローラー１３１は図略のヒーターによりおよそ１７０℃にまで加熱される。その熱を排出するために装置本体１１の内部の適当な箇所、好ましくは定着部１３の近傍に電動ファン１７が設けられている。
【００１７】
給紙部１４は、複数の給紙カセットを備える。制御部１００（図２）は、操作者による指示で指定されたサイズの記録紙が収容された給紙カセットのピックアップローラー１４５を回転駆動させて、各給紙カセットに収容されている記録紙Ｐを上記ニップ部Ｎに向けて搬送させる。
【００１８】
なお、画像形成装置１において、両面印刷を行う場合は、画像形成部１２より一方の面に画像が形成された記録紙Ｐを、排出ローラー対１５９にニップされた状態とした後、当該記録紙Ｐを排出ローラー対１５９によりスイッチバックさせて反転搬送路１９５に送り、搬送ローラー対１９により、上記ニップ部Ｎ及び定着部１３に対して記録紙Ｐの搬送方向上流域に再度搬送する。これにより、画像形成部１２により当該記録紙の他方の面に画像が形成される。
【００１９】
図２は、画像形成装置１の主要内部構成を示す機能ブロック図である。画像形成装置１は、制御ユニット１０、操作部４７、原稿給送部６、原稿読取部５、画像メモリー３２、画像形成部１２、定着部１３、駆動モーター７０、ファクシミリ通信部７１、環境温度センサー８０、定着部温度センサー８１、ネットワークインターフェイス部９１、及びＨＤＤ９２等を備える。
【００２０】
原稿読取部５は、制御ユニット１０による制御の下、光照射部及びＣＣＤセンサー等を有する読取機構１６３（図１）を備える。原稿読取部５は、光照射部により原稿を照射し、その反射光をＣＣＤセンサーで受光することにより、原稿から画像を読み取る。
【００２１】
画像メモリー３２は、原稿読取部５による読取で得られた原稿画像のデータを一時的に記憶したり、画像形成部１２のプリント対象となるデータを一時的に保存する領域である。
【００２２】
ファクシミリ通信部７１は、図略の符号化／復号化部、変復調部及びＮＣＵ（Network Control Unit）を備え、公衆電話回線網を用いてのファクシミリの送信を行うものである。
【００２３】
環境温度センサー８０は、画像形成装置１の機外の環境温度（すなわち、画像形成装置１の周囲環境温度）を検知する温度センサーである。環境温度センサー８０は、例えば、画像形成装置１の内部の適当な箇所に配置されている。なお、環境温度センサー８０の取付位置をこれに限定する趣旨ではない。環境温度センサー８０は、特許請求の範囲における第１の温度センサーに相当する。
【００２４】
定着部温度センサー８１は、定着部１３の温度を検知する温度センサーである。定着部温度センサー８１は、定着部１３の近傍の適当な箇所に配置されている。定着部温度センサー８１は、特許請求の範囲における第２の温度センサーに相当する。
【００２５】
ネットワークインターフェイス部９１は、ＬＡＮボード等の通信モジュールから構成され、当該ネットワークインターフェイス部９１に接続されたＬＡＮ等を介して、ローカルエリア内又はインターネット上のコンピューター２０等と種々のデータの送受信を行う。
【００２６】
ＨＤＤ９２は、原稿読取部５によって読み取られた原稿画像等を記憶する大容量の記憶装置である。
【００２７】
駆動モーター７０は、画像形成部１２の各回転部材及び搬送ローラー対１９等に回転駆動力を付与する駆動源である。
【００２８】
制御ユニット１０は、ＣＰＵ(Central Processing Unit)、ＲＡＭ、ＲＯＭ及び専用のハードウェア回路等から構成され、画像形成装置１の全体的な動作制御を司る。制御ユニット１０は、制御部１００、環境温度記憶部１０１、環境レベル記憶部１０２、及び定着温度制御部１０４を備える。
【００２９】
制御部１００は、操作部４７、原稿給送部６、原稿読取部５、画像メモリー３２、画像形成部１２、定着部１３、駆動モーター７０、ファクシミリ通信部７１、環境温度センサー８０、定着部温度センサー８１、ネットワークインターフェイス部９１、及びＨＤＤ９２等と接続され、これら各部の制御を行う。
【００３０】
環境温度記憶部１０１は、環境温度センサー８０で検知された環境温度を記憶するメモリーである。環境温度センサー８０で検知された環境温度は、後述する予め定められた条件の下で、定着温度制御部１０４により環境温度記憶部１０１に上書きされる。環境温度記憶部１０１は、特許請求の範囲における環境温度記憶部に相当する。
【００３１】
環境レベル記憶部１０２は、環境温度を予め定められた複数の環境レベルに分別し、当該環境レベル毎に対応付けられた定着温度を記憶している、例えばメモリーである。
【００３２】
なお、環境レベル記憶部１０２は、ＥＥＰＲＯＭ（Electrically Erasable Programmable Read-Only Memory）やフラッシュメモリー等の不揮発性メモリーで構成することが好ましい。こうすることで、画像形成装置１の電源を切っても環境レベルを記憶しておくことができ、画像形成装置１の次回起動時に、定着温度制御部１０４が前回の環境レベルを読み出してその環境レベルに応じた定着部１３の温度制御を行うことができる。
【００３３】
定着温度制御部１０４は、加熱ローラー１３１に設けられた加熱ヒーターを駆動制御して、環境レベル記憶部１０２に記憶された環境レベルに応じた定着部１３の温度制御を行う。
【００３４】
定着温度制御部１０４は、加熱ローラー１３１に設けられた加熱ヒーターを駆動制御して、環境レベル記憶部１０２に記憶された環境レベルに応じた定着部１３の温度制御を行う。
【００３５】
定着温度制御部１０４は、環境温度センサー８０及び定着部温度センサー８１で検知された各温度に応じて環境レベルを決定する。電動ファン１７（図１）の配置位置によっては、定着部１３で暖められた空気が環境温度センサー８０に回り込み、環境温度センサー８０が実際の環境温度よりも高めの温度を検知することがあるため、定着温度制御部１０４は、定着部温度センサー８１で検知された温度も考慮して環境レベルを決定する。環境レベルの決定方法については後述する。
【００３６】
定着温度の制御とは、例えば、加熱ローラー１３１の熱源である上記加熱ヒーターへの通電を制御して加熱ローラー１３１の表面温度（定着温度）を制御することである。例えば、定着温度制御部１０４は、加熱ローラー１３１の表面温度が環境レベル記憶部１０２に各環境レベルに対応付けて記憶された定着温度となるように、定着部１３の温度制御を行う。
【００３７】
定着温度制御部１０４は、定着部１３にエージング動作を行わせる。エージング動作とは、画像形成部１２による画像形成動作（定着部１３による定着動作）が行われていない期間（例えば、画像形成装置１の待機中やウォーミングアップ中）に、加熱ローラー１３１及び加圧ローラー１３２を回転駆動させて、定着部１３のウォーミングアップを行うことをいう。例えば、定着温度制御部１０４は、画像形成処理が行われていない期間に、環境レベル記憶部１０２に記憶された環境レベルに対応した時間だけ加熱ローラー１３１及び加圧ローラー１３２を回転駆動させて、エージング動作を行わせる。
【００３８】
図３は、環境レベルと、これに対応付けられた定着温度及び駆動時間との対応関係例を示すテーブルである。例えば、環境レベル記憶部１０２には、「低温２」、「低温１」、「常温」、及び「高温」といった環境レベルが記憶されている。環境温度センサー８０の検知温度が１３℃未満の場合には環境レベルは「低温２」であり、環境温度センサー８０の検知温度が１３℃以上、１８℃未満の場合には環境レベルは「低温１」であり、環境温度センサー８０の検知温度が１８℃以上、３１℃未満の場合には環境レベルは「常温」であり、環境温度センサー８０の検知温度が３１℃以上の場合には環境レベルは「高温」である。
【００３９】
これら環境レベルごとに定着温度、及び駆動時間（加熱ローラー１３１及び加圧ローラー１３２のエージング時間）が予め定められ、環境レベル記憶部１０２に記憶されている。例えば、環境レベルが「常温」又は「高温」の場合には定着温度及び駆動時間として「基準値」を用い、環境レベルが「低温１」の場合には定着温度として「基準値＋補正２」を、駆動時間として「基準値＋補正４」を用い、環境レベルが「低温２」の場合には定着温度として「基準値＋補正１」（ただし、補正１＞補正２である）を、駆動時間として「基準値＋補正３」（ただし、補正３＞補正４である）を用いる。このように、環境温度が低いほど、定着温度を高くし、また、エージング時間を長くすることで、環境温度に拘わらず一定の印字品質を保つことを可能にする。
【００４０】
上記のような環境レベルごとの定着温度及び駆動時間の関係を記憶したテーブルが環境レベル記憶部１０２に記憶されている。定着温度制御部１０４は、環境レベル記憶部１０２の当該テーブルを参照して、環境レベルに応じた定着部１３の温度制御を行うことができる。
【００４１】
次に、本実施形態における環境レベルの決定処理について説明する。図４は、環境レベルの決定処理のフローチャートである。
【００４２】
定着温度制御部１０４は、環境温度センサー８０から出力される信号を受信することにより、環境温度センサー８０により新たに検知された環境温度を取得する（Ｓ１）。
【００４３】
定着温度制御部１０４は、環境温度センサー８０により新たに検知された環境温度が、この時点で環境温度記憶部１０１に記憶されている環境温度に対して同一又は低下していると判断した場合（Ｓ２でＮＯ）、環境温度記憶部１０１に記憶されている環境温度を当該新たに検知された環境温度に更新すると共に、環境レベル記憶部１０２の上記テーブルを参照して、当該新たに検知された環境温度が属する環境レベルを決定する（Ｓ３）。例えば、図３のテーブルに従うと、環境温度センサー８０により検知された環境温度がそれまでの温度１８℃から新たな温度１７℃へ下がった場合、定着温度制御部１０４は、環境レベルを「低温１」に決定する。
【００４４】
このように、環境温度センサー８０により検知された環境温度が下がった場合には、定着部１３で暖められた空気が環境温度センサー８０に影響していないと考えられるため、定着温度制御部１０４は、環境温度センサー８０により検知された環境温度を用いて、上記のように環境レベルを決定する。
【００４５】
一方、定着温度制御部１０４は、環境温度センサー８０により新たに検知された温度が、この時点で環境温度記憶部１０１に記憶されている環境温度から上昇している場合（Ｓ２でＹＥＳ）、定着部温度センサー８１から出力される信号を受信して、この時点で定着部温度センサー８１により検知された定着温度を取得する。そして、定着温度制御部１０４は、当該時点での定着部温度センサー８１により検知された定着温度と予め定められた温度（例えば、３６℃）とを比較し、定着部温度センサー８１の検知温度が当該予め定められた温度よりも低ければ（Ｓ４でＮＯ）、環境温度記憶部１０１に記憶されている環境温度を当該新たに検知された環境温度（Ｓ１で取得された上記環境温度）に更新し、環境レベル記憶部１０２の上記テーブルを参照して、当該新たに検知された環境温度が属する環境レベルを決定する（Ｓ３）。
【００４６】
例えば、図３のテーブルに従うと、環境温度センサー８０の検知温度が１７℃から１８℃へ上がった場合、当該時点での定着部温度センサー８１により検知された定着温度が上記予め定められた温度よりも低いことを条件に、定着温度制御部１０４は、環境レベルを「通常」に決定する。
【００４７】
このように、環境温度センサー８０により検知された環境温度が上がる場合でも、定着部温度センサー８１により検知された定着温度が予め定められた温度よりも低ければ、環境温度センサー８０は定着部１３で暖められた空気による影響を受けていない蓋然性が高いと考えられるため、環境温度センサー８０により上記新たに検知された環境温度を用いて環境レベルを決定する。
【００４８】
一方、定着温度制御部１０４は、定着部温度センサー８１により検知された定着温度と上記予め定められた温度との比較の結果、定着部温度センサー８１の検知温度が当該予め定められた温度以上であれば（Ｓ４でＹＥＳ）、環境温度センサー８０により検知された環境温度にかかわらず、この時点で環境温度記憶部１０１に記憶されている環境温度を当該新たに検知された環境温度に更新せず、また、新たな環境レベルの決定も行わない。定着温度制御部１０４は、当該時点で環境温度記憶部１０１に記憶されている環境温度が属する環境レベルを変更せずに維持する。例えば、図３のテーブルに従うと、定着部温度センサー８１により検知される定着温度が上記予め定められた温度以上の状況下で、環境温度センサー８０により検知される環境温度が１７℃から１８℃へ上がった場合、定着温度制御部１０４は、環境レベル記憶部１０２に記憶された環境レベルを「低温１」のまま維持する。
【００４９】
このように、定着部温度センサー８１の検知温度が上記予め定められた温度以上の状況下で環境温度センサー８０の検知温度が上がる場合には、定着部１３で暖められた空気が環境温度センサー８０に影響していると想定し、そのような場合には、環境温度センサー８０の検知温度を用いずに、環境温度記憶部１０１に記憶されている環境温度に対応する環境レベルをそのまま用いる。これにより、画像形成装置１内の熱源の影響により環境温度センサー８０の温度検知が影響を受けた場合において、上記環境レベルが誤って変更されることを防ぐことができる。
【００５０】
そして、定着温度制御部１０４は、加熱ローラー１３１の表面温度が、上記のようにして決定された環境レベルに対応付けて記憶された定着温度となるように、当該環境レベルに対応付けられた上記駆動時間で上記加熱ヒーターを含む定着部１３を駆動制御して、定着部１３の温度制御を行う。
【００５１】
以上のように、本実施形態によれば、環境温度を検知する環境温度センサー８０が、画像形成装置１内の熱源による影響を受けても環境温度に応じた正確な定着温度制御を行うことが可能となる。これにより、高価な高精度の温度センサーを用いる必要がなく、また、電動ファン１７の気流が環境温度センサー８０に回り込まないような構造を確保する必要もないため、画像形成装置１の高価格化及び大型化を招くことなく、画像形成装置１内の熱源による影響を受けても環境温度に応じた正確な定着温度制御を行える。
【００５２】
なお、本発明は上記実施の形態の構成に限られず種々の変形が可能である。また、上記実施形態では、本発明に係る画像形成装置の一実施形態として複合機を用いて説明しているが、これは一例に過ぎず、コピー機、プリンター、ファクシミリ装置等の他の画像形成装置でもよい。
【００５３】
また、図１乃至図４を用いて上記実施形態により示した構成及び処理は本発明の一実施形態に過ぎず、本発明を当該構成及び処理に限定する趣旨ではない。
【符号の説明】
【００５４】
１        画像形成装置
１２      画像形成部
１３      定着部
１３１    加熱ローラー
１３２    加圧ローラー
８０      環境温度センサー（第１の温度センサー）
８１      定着部温度センサー（第２の温度センサー）
１０１    環境温度記憶部
１０２    環境レベル記憶部
１０４    定着温度制御部
【図１】
2016102927.tif 000003
【図２】
2016102927.tif 000004
【図３】
2016102927.tif 000005
【図４】
2016102927.tif 000006